(57)【特許請求の範囲】
【請求項１】
視聴者の嗜好にあった番組を検索して案内をする番組選択支援装置において、視聴者の嗜好データが記録されている嗜好データベース記録手段と、放送信号から番組データを抽出する番組データ抽出手段と、前記番組データ抽出手段で抽出された番組データから前記嗜好データに基づき視聴者の嗜好に合う番組を検索する番組検索手段と、前記番組データ抽出手段で抽出される番組データをもとに番組評価画面を作成する評価画面作成手段と、前記番組評価画面を用いて視聴者が番組を評価した評価データを前記嗜好データベース記録手段に更新する手段と、前記番組評価画面を表示するタイミングを検出する検出手段と、視聴者が番組を視聴した時間を測定する番組視聴時間測定手段とを備え、
前記検出手段が、視聴者からチャンネル変更または電源ＯＦＦの要求があった時、または番組データ抽出手段を介して番組終了の通知があった時、これらの要求信号や通知信号を検出し、かつ、前記番組視聴時間測定手段での測定に基づいて、視聴者が番組を一定時間以上視聴したことを検出した時、前記評価画面作成手段により作成した前記番組評価画面を表示し、視聴者が一定時間以上視聴した番組の評価を視聴者に求めることを特徴とする番組選択支援装置。
【請求項２】
前記嗜好データ及び前記番組評価画面は、キーワード毎にポイントが付与される構成であり、前記番組評価画面に視聴者が評価を入力し、前記嗜好データ記憶手段を更新すると、前記嗜好データには累積ポイントが記憶されることを特徴とする請求項１に記載の番組選択支援装置。
【請求項３】
前記番組検索手段は、前記番組データのキーワードと前記嗜好データのキーワードを照合し、各番組毎に一致したキーワードを抽出して、これらのキーワードに付与された前記嗜好データのポイントを順次加算し、各番組について獲得した累計ポイントに基づきおすすめ番組案内画面を表示し、番組案内を行うことを特徴とする請求項１又は２に記載の番組選択支援装置。
【請求項４】
視聴者を個人認証する個人認証手段を持つことを特徴とする請求項１から３までのいずれか１項に記載の番組選択支援装置。
【請求項５】
予め嗜好データベース記録手段に蓄積されている視聴者の嗜好データを基におすすめ番組案内画面を作成、表示して番組案内を行う工程と、視聴者が前記おすすめ番組案内画面から視聴したい番組を選択する工程と、番組視聴が開始されてから所定のタイミングで番組評価画面を作成し、表示手段に表示して視聴者に番組の評価を促す工程と、視聴者が番組に対する評価を入力し、前記嗜好データベース記録手段に保存することにより、視聴者の前記嗜好データを更新する工程とを含み、前記所定のタイミングとは、検出手段が電源ＯＦＦの要求を検出する、またはチャンネル変更の要求を検出する、または番組データ抽出手段からの番組終了の通知を検出するまでの視聴時間を測定し、その視聴時間が一定時間を越えている場合であることを特徴とする番組選択支援方法。
【請求項６】
コンピュータを、視聴者の嗜好にあった番組を検索して案内をする番組選択支援装置において、視聴者の嗜好データが記録されている嗜好データベース記録手段と、放送信号から番組データを抽出する番組データ抽出手段と、前記番組データ抽出手段で抽出された番組データから前記嗜好データに基づき視聴者の嗜好に合う番組を検索する番組検索手段と、前記番組データ抽出手段で抽出される番組データをもとに番組評価画面を作成する評価画面作成手段と、前記番組評価画面を用いて視聴者が番組を評価した評価データを前記嗜好データベース記録手段に更新する手段と、前記番組評価画面を表示するタイミングを検出する検出手段と、視聴者が番組を視聴した時間を測定する番組視聴時間測定手段とを備え、
前記検出手段が、視聴者からチャンネル変更または電源ＯＦＦの要求があった時、または番組データ抽出手段を介して番組終了の通知があった時、これらの要求信号や通知信号を検出し、かつ、前記番組視聴時間測定手段での測定に基づいて、視聴者が番組を一定時間以上視聴したことを検出した時、前記評価画面作成手段により作成した前記番組評価画面を表示し、視聴者が一定時間以上視聴した番組の評価を視聴者に求める番組選択支援装置として機能させるためのプログラム。
【請求項７】
コンピュータを、視聴者の嗜好にあった番組を検索して案内をする番組選択支援装置において、視聴者の嗜好データが記録されている嗜好データベース記録手段と、放送信号から番組データを抽出する番組データ抽出手段と、前記番組データ抽出手段で抽出された番組データから前記嗜好データに基づき視聴者の嗜好に合う番組を検索する番組検索手段と、前記番組データ抽出手段で抽出される番組データをもとに番組評価画面を作成する評価画面作成手段と、前記番組評価画面を用いて視聴者が番組を評価した評価データを前記嗜好データベース記録手段に更新する手段と、前記番組評価画面を表示するタイミングを検出する検出手段と、視聴者が番組を視聴した時間を測定する番組視聴時間測定手段とを備え、前記検出手段が、視聴者からチャンネル変更または電源ＯＦＦの要求があった時、または番組データ抽出手段を介して番組終了の通知があった時、これらの要求信号や通知信号を検出し、かつ、前記番組視聴時間測定手段での測定に基づいて、視聴者が番組を一定時間以上視聴したことを検出した時、前記評価画面作成手段により作成した前記番組評価画面を表示し、視聴者が一定時間以上視聴した番組の評価を視聴者に求める番組選択支援装置として機能させるためのプログラムを記録したことを特徴とするコンピュータ読み取り可能な記録媒体。
【請求項８】
さらに、前記番組選択支援装置のリモコン装置とＴＶ受信機とが双方向で送受信することができるとともに、前記リモコン装置に番組評価画面を表示させることができることを特徴とする請求項１から４までのいずれか１項に記載の番組選択支援装置。
【発明の詳細な説明】
【０００１】
【発明の属する技術分野】
本発明は、放送受信装置に関し、詳しくは、視聴者の嗜好にあった番組を検索して案内をする番組選択支援装置に関する。個人の嗜好情報に基づき、視聴者が少ない負担で、好みの放送番組の提供をうけることができるように支援するものである。
【０００２】
【従来の技術】
数多くのテレビ番組から視聴者の嗜好にあった番組を案内するための番組選択支援装置に関し、以下のような従来例がある。
時開平１０−２４３３０９号公報には、番組を視聴開始した時刻から終了時刻までの時間と実際視聴した時間との比率に基づいて、視聴者の嗜好を学習してパラメータを自動的に最適化し、番組選択の精度を高めることができるという技術が開示されている。
また、特開平９−７００２０号公報には、視聴者は番組情報をみながらジャンル別に優先度をつけることにより、優先度の低い情報から蓄積手段より蓄積情報を消去するので、ユーザ好みの情報のみ長時間蓄積されるという技術が開示されている。
【０００３】
【発明が解決しようとする課題】
しかしながら、上述の装置のように、番組の視聴時間を嗜好データに反映させる方法では、視聴者が番組を視聴しても実はつまらなかったと判断した場合でもプラスの評価がされたり、電源はついているけれども席をはずしていて番組を視聴していない場合でもプラスの評価がされることがあり、正確に嗜好データを作成することが困難であるという問題を有していた。
また、番組情報をみながらジャンル別に優先度をつける方法では、視聴者が意識的に番組情報を見にいく必要がありわずらわしかった。
本発明は、そのような状況に鑑みてなされたもので、視聴者が一定時間以上視聴した番組を抽出して番組評価を促すことにより、視聴者に番組の評価をしてもらい、視聴者の嗜好データの精度をより高めることができるようにするものである。
【０００４】
【課題を解決するための手段】
本発明はこのような課題を解決するための手段を提供するもので、各請求項の発明は、以下の技術手段を構成する。上記目的を達成するために、本発明による請求項１記載の番組選択支援装置は、視聴者の嗜好にあった番組を検索して案内をする番組選択支援装置において、視聴者の嗜好データが記録されている嗜好データベース記録手段と、放送信号から番組データを抽出する番組データ抽出手段と、前記番組データ抽出手段で抽出された番組データから前記嗜好データに基づき視聴者の嗜好に合う番組を検索する番組検索手段と、前記番組データ抽出手段で抽出される番組データをもとに番組評価画面を作成する評価画面作成手段と、前記番組評価画面を用いて番組を評価した評価データを前記嗜好データベース記録手段に更新する手段とを備えることを特徴とする。視聴者におすすめ番組案内画面を提供すると共に、番組評価画面を提供しているので、視聴者自身による評価をしてもらうことにより、視聴者自身に係る嗜好データを更新でき、視聴者の嗜好データの精度をより高めることが可能となる。
【０００５】
本発明による請求項２記載の番組選択支援装置は、請求項に記載の番組選択支援装置において、前記番組評価画面を表示するタイミングを検出する検出手段と、視聴者が番組を視聴した時間を測定する番組視聴時間測定手段とを備え、前記検出手段が、視聴者からチャンネル変更または電源ＯＦＦの要求があった時、または番組データ抽出手段を介して番組終了の通知があった時、これらの要求信号や通知信号を検出し、かつ、前記番組視聴時間測定手段での測定に基いて、視聴者が番組を一定時間以上視聴したことを検出した時、前記評価画面作成手段により作成した前記番組評価画面を表示し、視聴した番組の評価を視聴者に求めることを特徴とする。視聴者は番組に対する評価を忘れることなく、視聴者自身に係る嗜好データをその都度更新でき、視聴者の嗜好データの精度をより高めることが可能となる。
【０００６】
本発明による請求項３記載の番組選択支援装置は、請求項１又は請求項２に記載の番組選択支援装置において、前記嗜好データ及び前記番組評価画面は、キーワード毎にポイントが付与される構成であり、前記番組評価画面に視聴者が評価を入力し、前記嗜好データ記憶手段を更新すると、前記嗜好データには累積ポイントが記憶されることを特徴とする。視聴者の嗜好データ及び番組評価画面の構成がキーワードに対してポイント評価をするだけでよく、簡素な構成になっており、入力が容易である。
【０００７】
本発明による請求項４記載の番組選択支援装置は、請求項１乃至請求項３に記載の番組選択支援装置において、前記番組検索手段は、前記番組データのキーワードと前記嗜好データのキーワードを照合し、各番組毎に一致したキーワードを抽出して、これらのキーワードに付与された前記嗜好データのポイントを順次加算し、各番組について獲得した累計ポイントに基づきおすすめ番組案内画面を表示し、番組案内を行うことを特徴とする。番組をおすすめ度順に容易に並べて表示でき、見て分かり易い。
【０００８】
本発明による請求項５記載の番組選択支援装置は、請求項１乃至請求項３に記載の番組選択支援装置において、視聴者を個人認証する個人認証手段を持つことを特徴とする。本装置を利用する複数の視聴者がそれぞれ自分のおすすめ番組案内の内容と嗜好データのセキュリティーを守ることが可能となる。
【０００９】
本発明による請求項６記載の発明は、番組選択支援方法に係わるもので、予め嗜好データベース記録手段に蓄積されている視聴者の嗜好データを基におすすめ番組案内画面を作成、表示して番組案内を行う工程と、視聴者が前記おすすめ番組案内画面から視聴したい番組を選択する工程と、番組視聴が開始されてから所定のタイミングで番組評価画面を作成し、表示手段に表示して、視聴者に評価を促す工程と、視聴者が番組に対する評価を入力し、前記嗜好データベース記録手段に保存することにより、視聴者の前記嗜好データを更新する工程を含むことを特徴とする。
【００１０】
本発明による請求項７記載の発明は、請求項６に記載の番組選択支援方法において、前記所定のタイミングとは、検出手段が電源ＯＦＦの要求を検出する、またはチャンネル変更の要求を検出する、または番組データ抽出手段からの番組終了の通知を検出するまでの視聴時間を測定し、その視聴時間が一定時間を越えている場合であることを特徴とする。
本発明による請求項８記載の発明は、本発明を番組選択支援装置として機能させるためのプログラムの発明、請求項９記載の発明は、当該プログラムを記録したことを特徴とするコンピュータ読み取り可能な記録媒体の発明である。
【００１１】
【発明の実施の形態】
本発明による番組選択支援装置の実施形態例を図１乃至図１５に基づいて以下に説明する。
図１は、番組選択支援装置の実施形態例における機能ブロック構成例を表している。番組選択支援装置はＴＶ受信機８とリモコン装置９とで構成されている。ＴＶ受信機８は、受信手段１０、番組データ抽出手段１１、制御手段２０（検出手段２３を含む）、番組検索手段２１、評価画面作成手段２２、嗜好データベース記録手段３０、番組視聴時間測定手段４０、表示手段５０、リモコン受信部６０から構成され、リモコン装置９は、リモコン送信部７０、操作部７１、個人認証手段７２から構成されている。
【００１２】
受信手段１０は、各種放送信号、映像データ、音声データ、番組データを受信し、ＣＰＵ１に受信したデータを渡す。
番組データ抽出手段１１は、受信手段１０で受信した映像データ、音声データ、番組データのうち、番組データを抽出し、デコードする。番組データ抽出手段１１でデコードされた番組データは、番組データ抽出手段１１のメモリに記憶され、制御手段２０による制御管理の基で、おすすめ番組検索時には番組検索手段２１に、番組評価画面作成時には評価画面作成手段２２に渡される。
【００１３】
制御手段２０は、ＣＰＵ１、ＲＯＭ２、ＲＡＭ３、検出手段２３等から構成され、ＣＰＵ１はＲＯＭ２に記憶されているプログラム、受信手段１０やリモコン受信部６０からの受信データ、番組視聴時間測定手段４０内のタイマからのデータに従って、ＴＶ受信機８が正常に機能するように上記各手段を制御管理し、各種処理を行なう。ＲＯＭ２には、各種プログラムやデータが記憶されている。ＲＡＭ３には、ＣＰＵ１が実行する処理に対して、予め設定された領域にプログラムやデータが記憶されるようになされている。
【００１４】
検出手段２３は、視聴者から操作部７１を介して制御手段２０にチャンネル変更または電源ＯＦＦの要求があった時、または番組データ抽出手段１１を介して制御手段２０に番組終了の通知があった時、これらの要求信号や通知信号を検出して制御手段２０に番組視聴時間測定手段４０から番組視聴時間データを受け取るように命令する。
【００１５】
番組検索手段２１は、認証された視聴者に関する、番組データ抽出手段１１が保有する番組データと嗜好データベース記録手段３０が保有する嗜好データのキーワードを照合し、各番組毎に一致したキーワードを抽出して、これらのキーワードに付与された嗜好データのポイントを順次加算し、各番組について獲得した累計ポイントが求まると、おすすめ番組案内画面を作成して表示手段５０に表示する。
【００１６】
評価画面作成手段２２は、番組データ抽出手段１１で抽出される番組データをもとに視聴者に評価を入力してもらうための番組評価画面を作成し、表示手段５０に表示する。
嗜好データベース記録手段３０は、異なる視聴者毎に、視聴者が番組データのキーワードに対して付与したポイントを加算した累計ポイントとそのキーワードを記録している。
【００１７】
番組視聴時間測定手段４０は、番組視聴が開始されると、ＣＰＵ１からの信号によりタイマ５をセットし、検出手段２３が電源ＯＦＦの要求を検出する、またはチャンネル変更の要求を検出する、または番組データ抽出手段１１からの番組終了の通知を検出するまでの視聴時間を測定し、その視聴時間が一定時間を越えている場合に、測定した時間データをＣＰＵ１に渡す。
表示手段５０は、放送番組の映像データ、音声データを表示する他に、番組検索手段２１で作成されるおすすめ番組案内画面、評価画面作成手段２２で作成される番組評価画面等を表示する。
【００１８】
リモコン受信部６０は、リモコン装置９の操作部７１、個人認証手段７２からリモコン送信部７０へ送信されたデータを受信し、制御手段２０ヘデータを渡す。
リモコン装置９の操作部７１は、視聴者により操作され、操作により入力された命令をＣＰＵ１に送る。
【００１９】
個人認証手段７２は、指紋認証センサと指紋認証部から成っており、視聴者があらかじめ親指の指紋とＩＤ番号を指紋認証部に登録しておくと、指紋認証センサに親指を接触させることで指紋認証部が登録されている指紋と照合して、ＩＤ番号データをリモコン送信部７０に渡す。こうして個人認証することで複数の視聴者が本発明による番組選択支援装置を利用する場合に、各自の嗜好データのセキュリティーを確保することができる。
【００２０】
図２は、番組選択支援装置の実施形態例における内部のハード構成倒を表している。前述したように、ＣＰＵ１はＲＯＭ２に記憶されているプログラム、受信手段１０やリモコン受信部６０からの受信データ、番組視聴時間測定手段４０内のタイマからのデータに従って、ＴＶ受信機８が正常に機能するように上記各手段を制御管理し、各種処理を行なう。ＲＯＭ２には、各種プログラムやデータが記憶されている。ＲＡＭ３には、ＣＰＵ１が実行する処理に対して、予め設定された領域にプログラムやデータが記憶されるようになされている。ＲＡＭ３は嗜好データベース記録手段３０の他に、制御手段２０、番組データ抽出手段１１にも存在する。受信部４は図１の受信手段１０に該当し、各種放送信号を受信し、ＣＰＵ１にデータ渡す。タイマ５は番組視聴時間測定手段４０にあり、ＣＰＵ１からの信号により、視聴時間を測定しＣＰＵ１にデータを渡す。入力部６は図１のリモコン装置９の操作部７１に該当し、視聴者により操作され、ＣＰＵ１に命令を送る。表示部７は、図１の表示手段の他、図１５のリモコン部表示手段７３が該当し、各種情報が表示される。
【００２１】
次に、番組選択支援装置における処理手順の概略の一例を図３のフローチャートで説明する。フロー各部の詳細については後述する。まず、視聴者が、番組選択支援装置の電源をＯＮすると、ステップＳ１０１において、視聴者を識別し、予め嗜好データベース記録手段３０に蓄積されている当該視聴者の嗜好データを基におすすめ番組案内を行う。おすすめ番組案内画面は表示手段５０に表示される。視聴者はこのおすすめ番組案内画面を参照し、ステップＳ１０２において、視聴者は視聴したい番組を選択し、番組視聴をする。視聴開始時に番組視聴時間測定手段４０のタイマ５がセットされて視聴時間を測定する。番組視聴が開始されてから、検出手段２３が電源ＯＦＦの要求を検出する、またはチャンネル変更の要求を検出する、または番組データ抽出手段１１からの番組終了の通知を検出するまでの視聴時間を測定し、その視聴時間が一定時間を越えている場合に、ステップＳ１０３に進み、番組評価画面を作成し、表示手段５０に表示して、視聴者に評価を促す。ステップＳ１０４において、視聴者がリモコン装置９の操作部７１から番組に対する評価を入力し、ステップＳ１０５において、嗜好データベース記録手段３０に保存すると、視聴者の嗜好データが更新される。このように、ステップＳ１０３，ステップＳ１０４，ステップＳ１０５の手順で視聴者に番組に対する評価を促し、嗜好データを更新することで、嗜好データの精度を高めることができる。最後にステップＳ１０６において、視聴を続行する場合にはステップＳ１０１に戻り、視聴を終了する場合は全ての手順を終了する。
【００２２】
次に、ステップＳ１０１におけるおすすめ番組案内の詳細な処理手順を図４により説明する。そのまえに図５、図６の説明をする。
図５は、複数の視聴者（ＩＤ番号０１番と０２番の視聴者）の嗜好データを表している。番組評価で評価されたキーワードとそれに対して視聴者が評価したポイントの累計が記録されている。キーワードにはテニス、写真、中田英寿、ヒンギス、木村拓也、ドラマ、松たか子、常盤貴子などがある。これらの内容は嗜好データベース記録手段３０に蓄積されているものである。
【００２３】
図６は、おすすめ番組案内画面を表している。視聴者ＩＤ番号２５１、おすすめ順位２５２、おすすめ度２５３、番組名２５４、放送時間２５５、放送チャンネル２５６が表示される。視聴者は詳細情報ボタン２５７を選択することで、矢印“→”で選択されている番組の詳細情報を見ることができる。おすすめ度２５３は、視聴者が番組データのキーワードに対して付与したポイントを累計した累計ポイントに基づいて番組選択支援装置が自動採点したものである。
【００２４】
図４に戻り、おすすめ番組案内の処理手順を説明する。ステップＳ２０１において、視聴者が番組選択支援装置の電源をＯＮしてログインすると、番組選択支援装置は、まず、個人認証手段７２で視聴者の個人認証を行なう。個人認証方法は指紋認証、または音声認証、パスワードによるもの等がある。ここではその一例として指紋認証を用いることとする。すなわち、個人認証手段７２の指紋認証部に番組選択支援装置を使用する視聴者の親指の指紋が予め登録されているものとする。視聴者は個人認証手段７２の指紋認証センサに親指を接触させる。
【００２５】
次にステップＳ２０２において、視聴者の認証が行なわれる。指紋認証部において登録されていた指紋であった場合は、正当な視聴者と認証され、個人認証手段７２は、リモコン送信部７０、リモコン受信部６０を経由して制御手段２０に視聴者ＩＤ番号を渡す。他方、指紋認証センサが読み取った指紋データが登録されていないものであった場合、おすすめ番組案内の処理を終了し、番組視聴ステップＳ２０７へ手順が移り、視聴者に番組評価を求めない一般的な番組視聴が開始される。例えば指紋認証センサに人差し指を接触させると番組視聴ステップＳ２０７へ手順が移る。なお、視聴者がおすすめ番組案内をキャンセルしたい場合、操作部７１のキャンセルボタンを選択することにより番組視聴ステップＳ２０７へ手順を移すこともできる。
【００２６】
次にステップＳ２０３において、番組データ抽出手段１１は番組検索手段２１へ番組データを渡す。この番組データは、受信手段１０で受信された番組データを番組データ抽出手段１１がデコードして、自己のメモリに記憶していたものである。
次にステップＳ２０４において、制御手段２０は個人認証手段７２から渡された視聴者ＩＤ番号をもとに、嗜好データベース記録手段３０から該当視聴者の嗜好データ（図５参照）を読み込み、番組検索手段２１へ嗜好データを渡す。
【００２７】
次にステップＳ２０５において、番組検索手段２１は番組データと嗜好データのキーワードを照合し、各番組毎に一致したキーワードを抽出して、これらのキーワードに付与された嗜好データのポイントを順次加算していく。こうして１つ１つの番組について獲得した累計ポイントが求まると、ステップＳ２０６において、図６のようにおすすめ番組案内として表示手段５０に表示する。視聴者はこのおすすめ番組案内画面を参考に、ステップＳ２０７において、番組を選択し、番組視聴を開始する。
【００２８】
次にステップＳ１０２における番組視聴の詳細な手順を図７で説明する。ステップＳ３０１において、番組視聴を開始すると同時に、制御手段２０のＣＰＵ１の指示により、番組視聴時間測定手段４０において、タイマ５をセットし、視聴時間の測定を開始する。時間の測定は、ステップＳ３０２において検出手段２３が電源ＯＦＦの要求を検出するか、ステップＳ３０３において検出手段２３が視聴番組変更の要求を検出するか、ステップＳ３０４において、番組データ抽出手段１１から制御手段２０へ番組終了の通知がされ検出手段２３が番組終了の通知を検出するまで続けられる。上記いずれかの要求あるいは通知が検出された場合、ステップＳ３０５に進んで、番組視聴時間測定手段４０は制御手段２０に測定時間データを渡す。
【００２９】
測定時間データが予め設定された一定時間、例えば１０分以上の場合、番組評価画面作成開始ステップＳ３０７に進み、１０分未満の場合ステップＳ３０６に進み、電源ＯＦＦの時は全ての動作を終了し、それ以外の時（番組変更または番組終了の時）はステップＳ３０１に戻り、番組視聴時間測定手段４０のデータを０分０秒にリセットし、新しい番組について再度、番組視聴時間測定を開始する。このとき、測定時間は１０分を閾値としたが、操作部７１より任意の時間に設定することができる。
【００３０】
次に、ステップＳ１０３における番組評価画面作成の詳細な手順を図８で説明をする。ステップＳ４０１において、制御手段２０は番組データ抽出手段１１から番組データを読み出し、評価画面作成手段２２へを渡す。この番組データは、受信手段１０で受信された番組データを番組データ抽出手段１１がデコードして、自己のメモリに記憶していたものである。ステップＳ４０２において、評価画面作成手段２２は番組データに係わるキーワードを抜き出し分類別に並べ替える。次にステップＳ４０３において、表示手段５０に分類・キーワード・評価を表示させる。
【００３１】
図９は、評価画面作成手段２２で作成され表示手段５０に表示される番組評価画面を表している。視聴者が入力する評価入力欄３５１、入力決定ボタン３５２がある。評価入力欄３５１の初期値は“未入力”になっている。視聴者は各分類の各キーワードに対して、評価を入力していく。
【００３２】
評価をすると、“良い”、“悪い”等の評価は図１０に示すようにポイントに変換される。これらのポイントは、嗜好データに累計されるものである。この時、“未入力”選択時は０ポイントが嗜好データに加算され、以下同様に“とても良い”は５ポイント、“良い”は２ポイント、“悪い”は−２ポイント、“とても悪い”は−５ポイントが嗜好データに加算される。
【００３３】
次に、ステップＳ１０４、ステップＳ１０５における番組評価・嗜好データ更新の詳細な手順を図１１で説明する。ステップＳ５０１において、視聴者はステップＳ２０１の時と同様にログインを行なう。これにより、個人認証手段７２により視聴者の認証がされ、自分の嗜好データが他人によって改竄されることを防ぐ。
【００３４】
ステップＳ５０２において視聴者認証を行い、視聴者認証が失敗した場合は、視聴続行ステップＳ５０６へ手順が移る、視聴者に番組評価を求めない一般的な番組視聴が開始される。なお、視聴者がおすすめ番組案内をキャンセルしたい場合、操作部７１のキャンセルボタンを選択することにより番組視聴ステップＳ５０６へ手順を移すこともできる。視聴者認証が成功した場合は、個人認証手段７２から視聴者ＩＤ番号が制御手段２０に送られ、図１２に示すように表示手段５０に視聴者ＩＤ番号を付して番組評価画面を表示させる。
【００３５】
次にステップＳ５０３において、視聴者は表示手段５０に表示された番組評価画面の各キーワードに対して、図１０に示される“未入力”、“とても良い”、“良い”、“悪い”、“とても悪い”の中から一つ選択して評価をする。すべてのキーワードに対して評価を終了し、確認したら決定ボタンを選択し、番組評価を終了する。このとき、評価を“未入力”にしたままにすることもでき、視聴者の負担を軽くしている。
【００３６】
次に、ステップＳ５０４において、“未入力”、“とても良い”、“良い”、“悪い”、“とても悪い”の５段階評価に対応したポイントを加算して、制御手段２０から嗜好データベース記録手段３０の該当する視聴者のデータヘ書き込みをする。こうして、視聴者の嗜好データは図５から図１４のように更新される。もし、別の視聴者が番組評価を行ないたい場合は、ステップＳ５０５において、再度ログインし、ステップＳ５０２へ進む。次にステップＳ５０３において、図１３のように別の視聴者（ＩＤ番号０２の視聴者）の番組評価画面が表示され、以下同様に番組評価を行なう。別視聴者のログインがない場合、ステップＳ５０６の番組視聴続行へ移る。
【００３７】
図１２は、ＩＤ番号０１の視聴者用の番組評価画面を表している。視聴者のＩＤ番号、番組の分類、番組情報中のキーワード、それに対する評価欄がある。図１３は、ＩＤ番号０２の視聴者用の番組評価画面を表している。番組評価画面には、視聴者ＩＤ番号、番組の分類、番組情報中のキーワード、それに対する評価欄がある。図１４は、ＩＤ番号０１の視聴者に係る更新された嗜好データを表している。評価された番組情報中のキーワードとその累計ポイントがある。
【００３８】
次に、ステップＳ１０６における番組視聴続行の詳細な手順を図１５で説明する。ステップＳ６０１において、検出手段２３がチャンネル変更の要求（選局の要求）を検出した場合、ステップＳ６０２に進み、制御手段２０から受信手段１０へ命令をし、チャンネル変更をしてステップＳ６０５番組視聴続行開始へ移る。ステップＳ６０３において、検出手段２３が電源ＯＦＦの要求を検出した場合、全ての動作を終了する。ステップＳ６０４において、検出手段２３が番組終了データを検出した場合、ステップＳ６０５の番組視聴続行開始へ移る。ステップＳ６０５において、図３の番組視聴ステップＳ１０２に戻り、以下この手順を繰り返す。
【００３９】
図１６は、前述してきた番組選択支援装置のリモコン装置がＴＶ受信機と双方向で送受信することが可能な場合の機能ブロック図である。図１とＴＶ側リモコン送受信部６５、リモコン部表示手段７３、リモコン送受信部７５が異なる。図４のステップＳ２０６において、おすすめ番組案内をする時、または図３のステップＳ１０３において、番組評価画面作成をする時、または図１１のＳ５０３において、番組評価をする時に、制御手段２０，ＴＶリモコン送受信部６５、リモコン送受信部７５を経由して、リモコン表示手段７３に表示手段５０と同じ画面、または簡易画面を表示することができ、視聴者の視聴を妨げることなく、上記手順を行なうこともできる。上記表示について、表示手段５０に表示するか、リモコン表示手段７３に表示するかは任意に設定することができる。
【００４０】
以上、一連の実施例を説明したが、視聴者が操作部７１で上記操作ボタンを選択することにより任意のタイミングで、おすすめ番組案内ステップＳ１０１、番組評価画面作成ステップＳ１０３に移行することが可能であり、例えば、番組視聴中におすすめ番組案内をしたり、番組視聴時間測定手段４０の測定時間が１０分未満の場合でも番組評価をすることができる。また、視聴者が番組データのキーワードに対して付与したポイントを累計して、おすすめ番組案内画面を作成したり、嗜好データを更新する時に、キーワードに対して重み付けしたポイントを累計しても良い。その他、本発明の趣旨を逸脱しない範囲で、本実施の形態に種々の変更を加えられることは自明である。
なお、以上の説明では本番組選択支援装置を独立した装置としたが、その他、例えば、ＰＶＲ（Ｐｅｒｓｏｎａｌ  Ｖｉｄｅｏ  Ｒｅｃｏｒｄｅｒ）またはＢＳチューナー等に組み込むことにより利用者に提供することも可能である。
【００４１】
本発明の番組選択支援装置は、本番組選択支援装置を機能させるためのプログラムでも実現される。このプログラムは、コンピュータで読み取り可能な記録媒体に格納されていてもよい。
本発明では、この記録媒体として、図２に示される制御手段のＲＯＭ２そのものがプログラムメディアであってもよいし、またＴＶ受信機８に図示しないＣＤ−ＲＯＭドライブ等のプログラム読み取り装置が設けられ、そこに記録媒体を挿入することで読み取り可能なＣＤ−ＲＯＭ等のプログラムメディアであってもよい。いずれの場合においても、格納されているプログラムはＣＰＵ１がアクセスして実行させる構成であってもよいし、プログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００４２】
ここで上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００４３】
さらに、通信ネットワークからＴＶ受信機８のＲＡＭ３にプログラムをダウンロードするように、流動的にプログラムを担持する媒体であってもよい。なお、このように通信ネットワークからプログラムをダウンロードする場合には、そのダウンロード用プログラムは予め装置本体に格納しておくか、あるいは別な記録媒体からインストールされるものであってもよい。なお、記録媒体に格納されている内容としてはプログラムに限定されず、データであってもよい。
【００４４】
【発明の効果】
上記にて説明された本発明により以下の効果がもたらされる。
本願請求項１に係る番組選択支援装置は、視聴者におすすめ番組案内画面を提供すると共に、番組評価画面を提供しているので、視聴者自身による評価をしてもらうことにより、視聴者自身に係る嗜好データを更新でき、視聴者の嗜好データの精度をより高めることが可能となる。
【００４５】
本願請求項２に係る番組選択支援装置は、番組が終了する、視聴者が電源をＯＦＦする、チャンネルを変更する時、視聴者が番組を一定時間以上視聴した時、番組評価画面を作成し視聴者に番組評価を促しているので、視聴者は番組に対する評価を忘れることなく、視聴者自身に係る嗜好データをその都度更新でき、視聴者の嗜好データの精度をより高めることが可能となる。
【００４６】
本願請求項３に係る番組選択支援装置は、視聴者の嗜好データ及び番組評価画面の構成がキーワードに対してポイント評価をするだけでよく、簡素な構成になっており、入力が容易である。また、本願請求項４に係る番組選択支援装置は、キーワードに対するポイント評価を利用しておすすめ番組案内画面を提供しており、番組をおすすめ度順に容易に並べて表示でき、見て解り易い。
【００４７】
本願請求項５に記載の発明に係る番組選択支援装置は、個人認証手段を持つ構成としているので、複数の視聴者がそれぞれ自分のおすすめ番組案内の内容と嗜好データのセキュリティーを守ることが可能となる。
【００４８】
本願請求項６及び７に記載の発明は番組選択支援方法の発明、本発明による請求項８記載の発明は、本発明を番組選択支援装置として機能させるためのプログラムの発明、請求項９記載の発明は、当該プログラムを記録したことを特徴とするコンピュータ読み取り可能な記録媒体の発明である。それぞれ、対応する装置の発明と同様の効果を得られる。
【図面の簡単な説明】
【図１】本発明による番組選択支援装置の一実施形態例を示す機能ブロック図である。
【図２】本発明による番組選択支援装置の一実施形態例を示すハード構成図である。
【図３】本発明による番組選択支援装置の処理手順を説明するフローチャートである。
【図４】おすすめ番組案内の詳細な処理手順を説明するフローチャートである。
【図５】嗜好データベースの嗜好データの例を示す図である。
【図６】おすすめ番組案内画面の例を示す図である。
【図７】番組視聴時の詳細な処理手順を説明するフローチャートである。
【図８】番組評価画面作成の詳細な手順を説明をするフローチャートである。
【図９】番組評価画面の例を示す図である。
【図１０】視聴者が入力する評価と嗜好データに累計されるポイントの対応関係の例を示す図である。
【図１１】番組評価及び嗜好データ更新の詳細な処理手順を説明するフローチャートである。
【図１２】ＩＤ番号０１の視聴者用の番組評価画面の例を示す図である。
【図１３】ＩＤ番号０２の視聴者用の番組評価画面の例を示す図である。
【図１４】更新された嗜好データの例を示す図である。
【図１５】嗜好データ更新の後の詳細な処理手順を説明するフローチャートである。
【図１６】本発明による番組選択支援装置の他の実施形態例を示す機能ブロック図である。
【符号の説明】
１  ＣＰＵ
２  ＲＯＭ
３  ＲＡＭ
４  受信部
５  タイマ
６  入力部
７  表示部
８  ＴＶ受像機
９  リモコン装置
１０  受信手段
１１  番組データ抽出手段
２０  制御手段
２１  番組検索手段
２２  評価画面作成手段
２３  検出手段
３０  嗜好データベース記録手段
４０  番組視聴時間測定手段
５０  表示手段
６０  リモコン受信部
６５  ＴＶ側リモコン送受信部
７０  リモコン送信部
７１  操作部
７２  個人認証手段
７３  リモコン部表示手段
７５  リモコン送受信部
２５１  視聴者ＩＤ番号
２５２  おすすめ順位
２５３  おすすめ度
２５４  番組名
２５５  放送時間
２５６  放送チャンネル
２５７  詳細情報ボタン
３５１  評価入力欄
３５２  入力決定ボタン
【図１】
0003833080.tif 000002
【図２】
0003833080.tif 000003
【図３】
0003833080.tif 000004
【図４】
0003833080.tif 000005
【図５】
0003833080.tif 000006
【図６】
0003833080.tif 000007
【図７】
0003833080.tif 000008
【図８】
0003833080.tif 000009
【図９】
0003833080.tif 000010
【図１０】
0003833080.tif 000011
【図１１】
0003833080.tif 000012
【図１２】
0003833080.tif 000013
【図１３】
0003833080.tif 000014
【図１４】
0003833080.tif 000015
【図１５】
0003833080.tif 000016
【図１６】
0003833080.tif 000017